(57)【特許請求の範囲】
【請求項１】
４角筒状の本体、
前記本体の上端に形成される蓋、および
前記本体の下端に形成される底を含むケースであって、
前記蓋は、
前記本体の上端において１辺からのびて形成される外蓋フラップ、
前記本体の上端において前記１辺の両側の２辺からのびて形成される２つのサイド蓋フラップ、および
前記本体の上端において前記１辺に対向する他の１辺からのびて形成される内蓋フラップを含み、
前記外蓋フラップの先端に挿入片が形成され、
前記外蓋フラップと前記挿入片との境界部分の両端に切込がそれぞれ形成され、
前記サイド蓋フラップに前記挿入片を挿入するための切欠が形成され、
前記内蓋フラップに、前記本体側の部分から中央部分にわたって、前記挿入片を挿入するための挿入孔が形成され、
前記本体の上端において前記１辺に対向する前記他の１辺からのびて吊り下げ片が前記挿入孔の形状に対応した形状に形成され、
前記挿入孔の幅の一番広い部分から前記本体にわたって切り取り用のミシン目が形成される、ケース。
【請求項２】
前記切欠は、前記サイド蓋フラップおよび前記内蓋フラップを重ねた場合に前記挿入孔の幅の一番広い部分に対応するように形成され、
前記挿入片は、幅の一番広い部分が前記挿入孔の幅の一番広い部分より広くなるように形成され、
前記切込は、それらの間の部分が前記挿入孔の幅の一番広い部分より狭くなるように形成される、請求項１に記載のケース。
【発明の詳細な説明】
【０００１】
【発明の属する技術分野】
この発明はケースに関し、特に、たとえば化粧品や整髪料などの商品が入れられるケースに関する。
【０００２】
【従来の技術】
図７は従来のケースの一例において２つのサイド蓋フラップを閉じた状態を示す図解図であり、図８は図７に示すケースにおいて蓋を閉じた状態を示す図解図である。図７および図８に示すケース１は、全体がたとえばポリプロピレンなどの合成樹脂で形成される。ケース１は４角筒状の本体２を含む。本体２は４つの側壁２ａ，２ｂ，２ｃおよび２ｄを含む。本体２の上端には、蓋３が形成される。蓋３は、本体２の３つの側壁２ａ，２ｂおよび２ｃの上端からのびる外蓋フラップ３ａ、２つのサイド蓋フラップ３ｂおよび３ｃを含む。外蓋フラップ３ａの先端には、挿入片４が形成される。外蓋フラップ３ａと挿入片４との境界部分の両端には、切込５がそれぞれ形成される。また、側壁２ｄの上端には吊り下げ片６が形成され、吊り下げ片６には吊り下げ用の孔７が形成される。
このケース１では、まず、図７に示すように、２つのサイド蓋フラップ３ｂおよび３ｃが閉じられる。次に、図８に示すように、外蓋フラップ３ａが閉じられる。この場合、挿入片４が側壁２ｄと２つのサイド蓋フラップ３ｂおよび３ｃとの間に挿入され、２つのサイド蓋フラップ３ｂおよび３ｃの一部分が２つの切込５にそれぞれ挿入される。そのため、このケース１では、挿入片４が２つのサイド蓋フラップ３ｂおよび３ｃに引っ掛かって外れにくく、蓋３が不用意に開かない。
【０００３】
【発明が解決しようとする課題】
ところが、上述のケース１では、側壁２ｄと２つのサイド蓋フラップ３ｂおよび３ｃとの間に隙間ができるので、挿入片４を２つのサイド蓋フラップ３ｂおよび３ｃから外して側壁２ｄと２つのサイド蓋フラップ３ｂおよび３ｃとの間から簡単に抜くことができ、蓋３を簡単に開けることができる。そのため、このケース１では、中に入れた商品が盗まれたりいたずらされたりする恐れがある。
【０００４】
それゆえに、この発明の主たる目的は、蓋を簡単に開けることができないケースを提供することである。
【０００５】
【課題を解決するための手段】
この発明にかかるケースは、４角筒状の本体と、本体の上端に形成される蓋と、本体の下端に形成される底とを含むケースであって、蓋は、本体の上端において１辺からのびて形成される外蓋フラップと、本体の上端においてその１辺の両側の２辺からのびて形成される２つのサイド蓋フラップと、本体の上端においてその１辺に対向する他の１辺からのびて形成される内蓋フラップとを含み、外蓋フラップの先端に挿入片が形成され、外蓋フラップと挿入片との境界部分の両端に切込がそれぞれ形成され、サイド蓋フラップに挿入片を挿入するための切欠が形成され、内蓋フラップに、本体側の部分から中央部分にわたって、挿入片を挿入するための挿入孔が形成され、本体の上端において１辺に対向する他の１辺からのびて吊り下げ片が挿入孔の形状に対応した形状に形成され、挿入孔の幅の一番広い部分から本体にわたって切り取り用のミシン目が形成される、ケースである。
この発明にかかるケースでは、切欠は、サイド蓋フラップおよび内蓋フラップを重ねた場合に挿入孔の幅の一番広い部分に対応するように形成され、挿入片は、幅の一番広い部分が挿入孔の幅の一番広い部分より広くなるように形成され、切込は、それらの間の部分が挿入孔の幅の一番広い部分より狭くなるように形成されることが好ましい。
【０００６】
この発明にかかるケースでは、蓋を組み立てる際に、２つのサイド蓋フラップ、内蓋フラップおよび外蓋フラップがその順に閉じられる。この場合、外蓋フラップの先端に形成された挿入片は、内蓋フラップに形成された挿入孔に挿入され、さらに、サイド蓋フラップに形成された切欠に挿入される。また、この場合、内蓋フラップとサイド蓋フラップとの一部分が、外蓋フラップと挿入片との境界部分の切込に挿入される。
この発明にかかるケースでは、本体の上端の１辺に形成された外蓋フラップの先端の挿入片が、本体の上端の１辺に対向する他の１辺に形成された内蓋フラップの挿入孔に挿入されるので、本体と２つのサイド蓋フラップとの間に隙間が生じにくい。そのため、挿入片は、２つのサイド蓋フラップから外しにくく、側壁と２つのサイド蓋フラップとの間から抜きにくい。
したがって、この発明にかかるケースでは、蓋を簡単に開けることができない。
また、この発明にかかるケースにおいて、切欠が、サイド蓋フラップおよび内蓋フラップを重ねた場合に挿入孔の幅の一番広い部分に対応するように形成され、挿入片が、幅の一番広い部分が挿入孔の幅の一番広い部分より広くなるように形成され、切込が、それらの間の部分が挿入孔の幅の一番広い部分より狭くなるように形成されると、挿入片がさらに抜けにくくなる。
さらに、この発明にかかるケースでは、内蓋フラップに本体側の部分から中央部分にわたって挿入孔が形成され、本体の上端において１辺に対向する他の１辺からのびて吊り下げ片が挿入孔の形状に対応した形状に形成され、挿入孔の幅の一番広い部分から本体にわたって切り取り用のミシン目が形成されているので、吊り下げ片を引っ張って本体をミシン目で切断して開けば、挿入片をサイド蓋フラップおよび内蓋フラップから外すことができ、蓋を開けることができる。
【０００７】
この発明の上述の目的、その他の目的、特徴および利点は、図面を参照して行う以下の発明の実施の形態の詳細な説明から一層明らかとなろう。
【０００８】
【発明の実施の形態】
図１はこの発明にかかるケースの一例を示す斜視図であり、図２はその展開図である。図１に示すケース１０は、全体がたとえばポリプロピレンなどの合成樹脂で形成される。ケース１０は４角筒状の本体１２を含む。本体１２は、４つの側壁１２ａ，１２ｂ，１２ｃおよび１２ｄを含み、４つの側壁１２ａ〜１２ｄはのりしろ部分１２ｅを接着することによって４角筒状に接続される。
【０００９】
本体１２の上端には、蓋１４が形成される。蓋１４は、本体１２の４つの側壁１２ａ，１２ｂ，１２ｃおよび１２ｄの上端からのびる外蓋フラップ１４ａ、２つのサイド蓋フラップ１４ｂ，１４ｃおよび内蓋フラップ１４ｄを含む。
【００１０】
外蓋フラップ１４ａの先端には、たとえば舌状の挿入片１６が形成される。この場合、挿入片１６は、幅の一番広い部分が後述の挿入孔２２の幅の一番広い部分２２ａから抜けにくくするために、その幅の一番広い部分２２ａより若干広くなるように形成される。また、外蓋フラップ１４ａと挿入片１６との境界部分の両端には、切込１８がそれぞれ形成される。この場合、それらの切込１８は、それらの間の部分が後述の挿入孔２２の幅の一番広い部分２２ａに嵌るようにするために、その幅の一番広い部分２２ａより若干狭くなるように形成される。
【００１１】
２つのサイド蓋フラップ１４ｂおよび１４ｃの角部には、挿入片１６を挿入するための切欠２０がそれぞれ形成される。これらの切欠２０は、２つのサイド蓋フラップ１４ｂおよび１４ｃに内蓋フラップ１４ｄを重ねた場合に後述の挿入孔２２の幅の一番広い部分２２ａに対応するように形成される。
【００１２】
内蓋フラップ１４ｄには、本体１２の側壁１２ｄ側の部分から中央部分にわたって、挿入片１６を挿入するための挿入孔２２が形成される。挿入孔２２は、本体１２の側壁１２ｄ側の部分に幅の一番広い部分２２ａを有し、内蓋フラップ１４ｄの中央部分にＵ字状の部分２２ｂを有する。
【００１３】
また、本体１２の側壁１２ｄには、その上端に、吊り下げ片２４が形成される。吊り下げ片２４は、挿入孔２２の形状に対応した形状に形成される。吊り下げ片２４のＵ字状の部分の中央には、たとえば円形の吊り下げ用の孔２６が形成される。
【００１４】
さらに、挿入孔２２の幅の一番広い部分２２ａの両端から側壁１２ｄの両下端にわたって、切り取り用のミシン目２８がそれぞれ形成される。この場合、ミシン目２８は、挿入孔２２の幅の一番広い部分２２ａの両端から側壁１２ｄおよび内蓋フラップ１４ｄの境界部分に沿った部分２８ａと、そこから側壁１２ｄの上部の両端にわたる斜めの部分２８ｂと、そこから側壁１２ｄの両下端にわたる部分２８ｃとで形成される。これらのミシン目２８は、蓋１４を開けやすくするために、側壁１２ｄを切断して開けやすくするためのものである。
【００１５】
本体１２の下端には、周知の底３０が形成される。すなわち、底３０は、本体１２の４つの側壁１２ａ，１２ｂ，１２ｃおよび１２ｄの下端からのびる４つの底フラップ３０ａ、３０ｂ、３０ｃおよび３０ｄを含む。底フラップ３０ａおよび３０ｂは重ねられた状態で接着され、底フラップ３０ｃおよび３０ｄも重ねられた状態で接着され、さらに、底フラップ３０ａおよび３０ｄが互いに組み込まれることによって、図３に示すように、底３０が形成される。
【００１６】
このケース１０では、蓋１４を組み立てる際に、まず、図４に示すように、２つのサイド蓋フラップ１４ｂおよび１４ｃと、内蓋フラップ１４ｄとがその順に閉じられる。
【００１７】
次に、図５に示すように、外蓋フラップ１４ａが閉じられる。この場合、外蓋フラップ１４ａの先端に形成された挿入片１６は、内蓋フラップ１４ｄに形成された挿入孔２２の幅の一番広い部分２２ａに挿入され、さらに、サイド蓋フラップ１４ｂおよび１４ｃに形成された切欠２０に挿入される。また、この場合、内蓋フラップ１４ｄとサイド蓋フラップ１４ｂおよび１４ｃとの一部分が、外蓋フラップ１４ａと挿入片１６との境界部分の切込１８に挿入される。
【００１８】
このケース１０では、本体１２の上端の１辺に形成された外蓋フラップ１４ａの先端の挿入片１６が、本体１２の上端の１辺に対向する他の１辺に形成された内蓋フラップ１４ｄの挿入孔２２に挿入されるので、本体１２と２つのサイド蓋フラップ１４ｂおよび１４ｃとの間に隙間が生じにくい。そのため、挿入片１６は、２つのサイド蓋フラップ１４ｂおよび１４ｃから外しにくく、側壁１２ｄと２つのサイド蓋フラップ１４ｂおよび１４ｃとの間から抜きにくい。したがって、このケース１０では、蓋１４を簡単に開けることができない。
【００１９】
また、このケース１０では、２つの切込１８の間の部分が挿入孔２２の幅の一番広い部分２２ａより若干狭くなるように形成されるので、その幅の一番広い部分２２ａに嵌る。さらに、このケース１０では、挿入片１６の幅の一番広い部分が挿入孔２２の幅の一番広い部分２２ａより若干広くなるように形成されるので、その幅の一番広い部分２２ａから抜けにくい。そのため、このケース１０では、この点においても挿入片１６が抜けにくく、蓋１４を簡単に開けることができない。
【００２０】
また、このケース１０では、蓋１４を開ける場合には、図６に示すように、本体１２の側壁１２ｄがミシン目２８で切断され開かれる。この場合、側壁１２ｄに吊り下げ片２４が接続されているので、吊り下げ片２４を引っ張ればよい。それから、挿入片１６が２つのサイド蓋フラップ１４ｂおよび１４ｃと内蓋フラップ１４ｄとから外され、外蓋フラップ１４ａと、２つのサイド蓋フラップ１４ｂおよび１４ｃと、内蓋フラップ１４ｄとがこの順に開けられ、蓋１４が開けられる。
【００２１】
さらに、このケース１０は、吊り下げ用の孔２６に棒状の部材を挿入すれば、吊り下げることができる。
【００２３】
上述のケース１０では切り取り用のミシン目２８が本体１２の側壁１２ｄなどに沿って形成されているが、この発明にかかるケースでは切り取り用のミシン目は本体の他の部分に形成されてもよい。
【００２８】
【発明の効果】
この発明によれば、蓋を簡単に開けることができないケースが得られる。そのため、この発明のかかるケースでは、中に入れた商品が盗まれたりいたずらされたりする恐れが少ない。
【図面の簡単な説明】
【図１】  この発明にかかるケースの一例を示す斜視図である。
【図２】  図１に示すケースの展開図である。
【図３】  図１に示すケースの底を示す図解図である。
【図４】  図１に示すケースにおいて２つのサイド蓋フラップおよび内蓋フラップを閉じた状態を示す図解図である。
【図５】  図１に示すケースにおいて蓋を閉じた状態を示す図解図である。
【図６】  図１に示すケースにおいて側壁を開いた状態を示す図解図である。
【図７】  従来のケースの一例において２つのサイド蓋フラップを閉じた状態を示す斜視図である。
【図８】  図７に示すケースにおいて蓋を閉じた状態を示す斜視図である。
【符号の説明】
１０  ケース
１２  本体
１２ａ〜１２ｄ  側壁
１４  蓋
１４ａ  外蓋フラップ
１４ｂ，１４ｃ  サイド蓋フラップ
１４ｄ  内蓋フラップ
１６  挿入片
１８  切込
２０  切欠
２２  挿入孔
２４  吊り下げ片
２６  吊り下げ用の孔
２８  ミシン目
３０  底
【図１】
0003746961.tif 000002
【図２】
0003746961.tif 000003
【図３】
0003746961.tif 000004
【図４】
0003746961.tif 000005
【図５】
0003746961.tif 000006
【図６】
0003746961.tif 000007
【図７】
0003746961.tif 000008
【図８】
0003746961.tif 000009